(57)【特許請求の範囲】
【請求項１】
浴槽内に設けたノズルより洗浄液を噴射することにより浴槽を洗浄する浴槽洗浄装置において、前記浴槽洗浄装置の試運転は、通常の動作時間を短縮して行う試運転モードを備えたことを特徴とする浴槽洗浄装置。
【請求項２】
浴槽内に設けたノズルより洗浄液を噴射することにより浴槽を洗浄する浴槽洗浄装置において、前記浴槽洗浄装置の通常の動作運転は、水散布、洗剤散布、水散布の順序からなり、前記浴槽洗浄装置の試運転は、洗剤散布、水散布の順序からなる試運転モードを備えたことを特徴とする浴槽洗浄装置。
【請求項３】
浴槽を洗浄する洗浄ユニットと、浴槽へ温水を供給する湯張り機能付き給湯機と、前記洗浄ユニットと前記給湯機の両方の操作ができるリモコンから構成され、前記リモコンの操作により浴槽洗浄の試運転を可能にしたことを特徴とする請求項１、２いずれかに記載の浴槽洗浄装置。
【発明の詳細な説明】
【０００１】
【発明の属する技術分野】
本発明は、浴槽内に設けたノズルより洗浄液を噴射することにより浴槽を洗浄する浴槽洗浄装置に関するものである。
【０００２】
【従来の技術】
従来、浴槽洗浄装置の試運転は、一連の通常の洗浄動作を行わせていた。
【０００３】
【発明が解決しようとする課題】
従来の浴槽洗浄装置では、試運転の場合でも通常の洗浄動作を行わせなければならず、実際に浴槽を洗浄するだけの時間を要するという問題があった。
本発明は上記課題を解決するためになされたものであり、その目的は、試運転の動作時間または動作内容を短縮することで、試運転の煩わしさや時間の無駄がない浴槽洗浄装置を提供することにある。
【０００４】
【課題を解決するための手段及びその作用・効果】
上記目的を達成するために請求項１は、浴槽内に設けたノズルより洗浄液を噴射することにより浴槽を洗浄する浴槽洗浄装置において、前記浴槽洗浄装置の試運転は、通常の動作時間を短縮して行う試運転モードを備えているため、試運転時間を短くすることができる。これによって試運転の煩わしさや時間の無駄がなくなる。
【０００５】
請求項２では、浴槽内に設けたノズルより洗浄液を噴射することにより浴槽を洗浄する浴槽洗浄装置において、前記浴槽洗浄装置の通常の動作運転は、水散布、洗剤散布、水散布の順序からなり、前記浴槽洗浄装置の試運転は、洗剤散布、水散布の順序からなる試運転モードを備えているため、試運転時に確認が必要な動作を最小限にすることができるので、試運転時間を短くすることができる。これによって試運転の煩わしさや時間の無駄がなくなる。
【０００６】
請求項３では、浴槽を洗浄する洗浄ユニットと、浴槽へ温水を供給する湯張り機能付き給湯機と、前記洗浄ユニットと前記給湯機の両方の操作ができるリモコンから構成され、前記リモコン操作により浴槽洗浄の試運転を行うことができる。
【０００７】
【発明の実施の形態】
以下、本発明の実施の形態を、図面により詳細に説明する。
図１は、本発明の一実施形態に係る浴槽洗浄装置を示した構成図である。
洗浄ユニット１００は図示のように、入水側から入水管１０３、流量検知装置１０４、水量制御装置１０５、開閉弁１０６、洗剤混合部１０７、吐出管１０８を通って、洗浄ノズル１０１に接続されている。また、洗剤は、洗剤タンク１０９、洗剤ポンプ１１０、逆止弁１１１を通って洗剤混合部１０７に供給される。また、洗剤タンク１０９には洗剤の有無を検知するフロートスイッチ１１２を備えている。
【０００８】
水だけを散布する場合は、洗浄基板１０２からの指令で開閉弁１０６を開け、水量制御装置１０５で水量を制御し洗浄ノズル１０１から水を散布する。この時、逆止弁１１１によって洗剤ポンプ１１０、洗剤タンク１０９に水が逆流することを防止している。また、洗剤を散布する場合は、洗浄基板１０２からの指令で開閉弁１０６を開けて水量制御装置１０５で水量を制御し、洗剤ポンプ１１０が作動し洗剤が洗剤混合部１０７に供給され水で薄められて洗剤洗浄ノズル１０１から散布される。
【０００９】
また、洗浄基板１０２には、排水栓駆動用モータ１２４が駆動用コード５２を介して接続されており、排水栓駆動用モータ１２４を駆動させることで、ワイヤーケーブル１２１を介してスラストロック機構部１２３を作動させることで排水栓１２２が上下に動き開閉ができる。
【００１０】
これらの構成により、リモコン装置４０からのオン指令で浴槽２０の排水栓１２２を開け、排水を行い、洗浄ノズル１０１から洗剤を散布し、その後、水を散布し洗剤を洗い流し、排水栓１２２を閉めるという一連の浴槽洗浄動作ができる。それに、リモコン装置４０からの排水栓の開指令で開けることもできるし、閉指令で閉めることもできる。
【００１１】
また、洗浄基板１０２もリモコン装置４０との接続判断手段を備えており、一連の洗浄動作中に一定時間接続無を検知した場合、一連の洗浄動作が完了するまで動作を継続する。
また、洗浄基板１０２は洗浄ユニット１００に内蔵された形の実施例を記載しているが、洗浄ユニット１００から離れた位置に設置されていても構わない。
【００１２】
図２は、本発明の一実施形態に係る浴槽洗浄装置の全体構成を示した図である。
リモコン装置４０はリモコンコード５０、５１で湯張り機能付き給湯機本体１（以下は給湯機本体と記述する）の電装基板４７と洗浄ユニット１００の洗浄基板１０２に接続されている。また、給湯機本体１は循環流路１０を介して、浴槽２０の循環アダプタ３０に接続されており浴槽２０へお湯張りできる。洗浄ユニット１００は、浴槽２０に取り付けられた洗浄ノズル１０１より、水や洗剤を散布することで浴槽３３を洗浄できる。
【００１３】
また、リモコンコード５０、５１は２芯線で、無極性の通信方式を採用しているため、途中で結線し１本のコードでリモコン装置４０に接続されている。
図３は、本発明の一実施形態に係るリモコン装置の例を示した図である。
リモコン装置４０には、運転スイッチ４１、給湯栓５から供給される湯温の給湯設定温度Ｔｓ及び浴槽２０へ湯張りする湯温の風呂設定温度Ｔｆｓを設定する温度設定スイッチ４２、浴槽２０への湯張り水位Ｒｓを設定する水位設定スイッチ４３、浴槽２０へ湯張り後追焚保温する際にオン操作する湯張り保温スイッチ４４、浴槽２０の洗浄する場合にオン操作する浴槽洗浄スイッチ４５、浴槽洗浄の試運転を行う浴槽洗浄試運転スイッチ４９、給湯設定温度Ｔｓ、風呂設定温度Ｔｆｓ、湯張り水位Ｒｓ等を表示する表示部４６や音声で運転状態や操作内容を報知する音声発生手段４８を備える。運転スイッチ４１、湯張り保温スイッチ４４、浴槽洗浄スイッチ４５、浴槽洗浄試運転スイッチ４９にはオン操作された場合に点灯するランプがスイッチ内または近傍に設けられている。
【００１４】
湯張り保温スイッチ４４がオン操作された場合は、給湯機１へ湯張り保温のオン指令を送信し、洗浄ユニットへは排水栓の閉指令を送信する。浴槽洗浄スイッチ４５がオン操作された場合は、洗浄ユニット１００へ浴槽洗浄のオン指令を送信する。当然オフ操作された場合は、オン指令の送信中止やオフ指令を送信することで、給湯機１の動作や洗浄ユニット１００の動作を停止できる。
【００１５】
浴槽洗浄試運転スイッチ４９がオン操作された場合は、洗浄基板１０２からの指令で浴槽洗浄の試運転を行う。この試運転は、通常の動作時間を短縮して行う試運転モードで実施される。試運転を実施する手段としては、スイッチを新たに設けることに限らず、既設のスイッチを使用してもよい。例えば、浴槽洗浄スイッチ４５を数秒間押すことによって、試運転を実施するようにしてもよい。この場合、表示部４６に例えば「試運転中」を表示させることもできる。また、試運転を実施する手段としてのスイッチ操作は、この限りではなく、例えば複数のスイッチ操作であっても構わない。
【００１６】
図４は、本発明の一実施形態に係る通常の動作と試運転モードの動作の比較を示した図である。
通常の動作では、初めに水を散布することで前洗浄を行い、その後洗剤を散布してしばらく放置することで洗浄効果を高める。所定の洗剤保持時間経過後に水を散布し洗い流す。
試運転モードによれば、水散布時間、洗剤散布時間、洗剤保持時間等が短縮してある。
【００１７】
また、最初の水散布、待機、洗剤保持時間等を省くことにより、試運転時に確認が必要な動作を最小限にすることができる。さらに試運転時は洗剤の代わりに水を用いても構わない。
【図面の簡単な説明】
【図１】本発明の一実施形態に係る浴槽洗浄装置を示した構成図。
【図２】本発明の一実施形態に係る浴槽洗浄装置の全体構成を示した図。
【図３】本発明の一実施形態に係るリモコン装置の例を示した図。
【図４】本発明の一実施形態に係る通常の動作と試運転モードの動作の比較を示した図。
【符号の説明】
１…給湯機本体  ５…給湯栓
１０…循環流路  ２０…浴槽  ３０…循環アダプタ
４０…リモコン装置  ４１…運転スイッチ  ４２…温度設定スイッチ
４３…水位設定スイッチ
４４…湯張り保温スイッチ  ４５…浴槽洗浄スイッチ  ４６…表示部
４７…電装基板  ４８…音声発声手段  ４９…浴槽洗浄試運転スイッチ
５０，５１…リモコンコード  ５２…駆動用コード
１００…洗浄ユニット  １０１…洗浄ノズル    １０２…洗浄基板
１０３…入水管  １０４…流量検知装置    １０５…水量制御装置
１０６…開閉弁  １０７…洗剤混合部    １０８…吐出管
１０９…洗剤タンク    １１０…洗剤ポンプ  １１１…逆止弁
１１２…フロートスイッチ
１２１…ワイヤーケーブル  １２２…排水栓  １２３…スラストロック機構部
１２４…排水栓駆動用モータ
【図１】
0004329112.tif 000002
【図２】
0004329112.tif 000003
【図３】
0004329112.tif 000004
【図４】
0004329112.tif 000005